(57)【要約】【課題】  様々なサイズのカップ（コップ）に対応できて、熱くなったカップ表面に触ることなく、カップの保温・保護と共に、倒れにくく保持固定ができ、持ち運び移動にも適し、且つしばし、くつろぐ癒しの時間をちょっぴり素敵に演出するようなカップホルダーを提供する。【手段】  様々な長さの細長いプレート、小片を柔軟なワイヤーで横に連結し、左右両端の把手片及びそれに隣接する数枚のプレート片に限って、それぞれの上下端近くに横一直線上にマグネットを設け、このように形成された一枚のカップホルダーを単一もしくは複数枚連結して、対象カップの外周にコルセット様に巻き当て、把手部域のマグネットで軽く留め固定し、ドリンクを口に運んで、飲み干すまでの一時的な安定した待機置きを安心して行える。【選択図】図１
2016036705.tif 000002
【特許請求の範囲】
【請求項１】
木やプラスチック等の素材を用い、様々な、もしくは一様な長さ幅のプレート片から成るカップホルダーを、仮に展開して平面に置いた状態において、複数のプレート片を横に並列させ、上下の縁偏り辺の平行線に沿って、左端〜右端の全てのプレート片を貫通するワイヤーで連結するのであるが、その時、左右端のプレート片は、中間に並列する他のプレート諸片よりも幅広に形成され、把手部分と成るのであって、この把手部を成す左右の把手片には、隣接するプレート片との境目沿いの上下端近辺にマグネットを設け、このマグネットは、左右相互を結ぶ直線上において、隣接して連続するプレート片にも、３枚もしくは数枚に限って同様に配置され、中間にある他のプレート片には何処にも配置されないのであり、斯くして一つの全体としてのカップホルダーが形成され、紙コップを含む様々なサイズのカップの外周にコルセット様に巻き当て、把手部域でマグネットによって軽く留め固定し、飲み物を口に運んで、飲み干すまでの一時的な特機置き等に際し、多くの便利機能を発揮することを特徴とするコルセット型カップホルダー。
【発明の詳細な説明】
【技術分野】
【０００１】  本発明は、自動車や装置に取付けてあるようなカップ（あるいはコップ）ホルダーではなく、家庭や戸外（ピクニックのような）でお茶やスープを飲んだりする場合に、カップ容器の外に巻きつけて使用するカップホルダーに関するものである。
【背景技術】
【０００２】  従来カップのホルダーは、カップ容器に非常に熱い（或いは冷たい）飲料液や氷等を入れた時、手指で直接カップ容器に触れたまま保持するのが難しかったり、中の飲料が急激に冷めたり溶けたりして困ったり、或いは飲み干すまでの合間に一時的に手から離してその辺りにチョイ置き（待機置き）する時の不安定さの心配があったり、等々の問題を共通項目としつつ、其々それなりの解決法を得ようとしてきた。形状が複雑で背丈の高いグラスなどを、一端に吸盤を設けた屈曲自在な紐様の杵体を巻きつけて安定的に位置固定するというフリーサイズ・カップホルダーも知られている（特許文献１参照）。主に保温保護を意図したものとしては、発泡プラスチックシートと伸縮性ジャージ生地との間に板バネを挟み込み、素材の特性を生かした断熱性と弾力性でドリンクの保温保護を目途したワンタッチマルチホルダーカバーも知られている（特許文献２参照）。また、横長で扇状にカーブした巻帯の両端の手前に、左右が上下互い違いに成るように切込みを設け、紙コップ等に巻きつけて切込み部を噛み合わせて止め固定し、切込み部からの端縁までの端域を把手として、熱い飲み物でも楽に持てるとするコップペーパーホルダーも知られている。（特許文献３参照）
【先行技術文献】
【特許文献】
【０００３】
【特許文献１】登録実用新案第３０５９４８５号  公報
【特許文献２】特許公開２００４−３０５６４５号  公報
【特許文献３】特許公開平８−１９２８５３号  公報
【発明の概要】
【発明が解決しようとする課題】
【０００４】  一般的に、位置固定の設置型やプラスチック・金属製の成形品は移動できず、嵩張り、携帯が出来ない。また携帯できてもサイズの異なるカップに対応できない単一固定形容器も不便である。文献１に示される先行技術は、滑らかな表面がない場所では吸盤が使えず安定的固定ができず、また屈曲自在な杵体でカップを巻きつけ保持しても、ドリンクの残りを飲もうとした時、手で口に運ぶ代わりに口の方を固定された位置に近づけていかねばならず、見た目の行儀も余り良くないので抵抗感がある。文献２に示される先行技術は、帯状の弾性材を無造作にピタッと巻き添わせることは無理に思えるので、カップ外壁面に触れ添うようにある程度丁寧に巻きつけていく必要があり、面倒さがある。また外す時もパラリと外れるものではなく、意図的に引き離していかねばならず、平たい板状もしくはシート状に戻すのも、自然ではなく、彎曲した部分を意図的に元に戻して初めて平板状に戻る事ができる。断熱保温材を、様々な対象形状を超えてマルチに装着できる長所はあるが、それなりに手のかかるホルダーカバーだと言わざるを得ない。文献３に示される先行技術は、熱い紙コップを楽に持てる便利さはあるが、実際の商品としては、其々特定サイズ形状の紙コップに付属した組合わせ部分という形にならざるを得ないと思われ、汎用性における欠点を逃れられないと言える。これらの先行技術は総じて機能性を追求する真面目な意図を感じさせるものであるが、いずれも人がドリンクを口にする時の休息・安息のリラックス気分に応える癒し効果の必要性などには殆ど思いが至っていない。
本発明は、以上のような問題点を解決するために為されたものである。
【課題を解決するための手段】
【０００５】  木やプラスチック等の素材を用い、様々な、もしくは一様な長さ幅のプレート片から成るカップホルダーを、仮に展開して平面に置いた状態において、複数のプレート片を横に並列させ、上下の縁偏り辺の平行線に沿って、左端〜右端の全てのプレート片を貫通するワイヤーで連結する。その時、左右端のプレート片は、中間に並列する他のプレート諸片よりも幅広に形成され、把手部を成す。この把手部を成す左右の把手片には、隣接するプレート片との境目沿いの上下端近辺にマグネットを設ける。このマグネットは、左右相互を結ぶ直線上において、隣接して連続するプレート片にも３枚もしくは数枚に限って同様に設置され、中間にある他のプレート片には何処にも設置されない。斯くして一つの全体としてのカップホルダーが形成され、紙コップを含む様々なサイズのカップの外周に巻き当て、把手部域でマグネットによって軽く留め固定し、飲み物を口に運んで、飲み干すまでの一時的な待機置き等に際し、多くの便利機能を発揮する。
以上を特徴とするコルセット型カップホルダーである。
【発明の効果】
【０００６】（イ）  紙製を含む様々なカップ（コップ）製品の大小サイズに対応し、把手片に設けら        れたマグネットによって微調整し、対象カップにピッタリと装着できる。
（ロ）  本発明を２枚、３枚と複数連結すれば、丼物等様々な大きさの容器に利用できる        。
（ハ）  本発明は、何枚でも連結していけるので、細い対象容器を複数本束ねて安定し、        置く時とても便利である。細い容器一本に巻きつけても、本発明の軽やかながら        も、ちょっとしたズッシリ感で、非常に倒れにくく保持される。
また、一枚に連結されている個々のプレート片の異なる長さの組合せによって        、一枚単位のホルダーが様々なデザイン効果を生む事ができる。
（二）  紙や柔らかいシリコン製のカップ等は、持った手の握力で凹んでしまい、熱い、        液が手指に零れ落ちてヤケドする危険があるが、その点本発明を装着使用してい        れば、そんな心配も無用である。
（ホ）  キャンプ等屋外で使用する時、本発明が不燃材で作ってあれば、オシャレな小型        コンロに変身することもできる。
【図面の簡単な説明】
【０００７】
【図１】本発明を展開して立てた状態における正面図
【図２】本発明の平面図
【図３】本発明の側図面
【図４】本発明を使用中の実施例を示す外観斜視図
【本発明を実施するための形態】
【０００８】  以下、本発明の実施の形態を説明する。
木やプラスチック等の素材を用い、様々な、もしくは一様な長さ幅のプレート片（１）から成るカップホルダーを、仮に展開して平面に置いた状態において、複数のプレート片（１）を横に並列させ、上下の縁偏り辺の平行線に沿って、左端〜右端の全てのプレート片（１）を貫通するワイヤー（２）で連結する。その時、左右端のプレート片（１）は、中間に並列する他の諸プレート片（１）よりも幅広に形成され、把手部（３）を成す。この把手部（３）を成す左右の把手片（４）には、隣接するプレート片（１）との境目沿いの上下端近辺にマグネット（５）を設ける。このマグネット（５）は、左右相互を結ぶ直線上において、隣接して連続するプレート片（１）にも、３枚もしくは数枚に限って同様に配置され、中間にある他のプレート片（１）には何処にも配置されない。
本発明は、以上のような構成であり、以下、これを実際に使用する際の形態を説明する。
上記の如く、一つの全体としてのカップホルダーが形成され、紙コップ（６）を含む様々なサイズのカップの外周にコルセット様に巻き当て、把手部（３）域でマグネット（５）によって軽く留め固定し、飲み物を口に運んで、飲み干すまでの一時的な特機置き等に際し、多くの便利機能を発揮するのである。
（ア）紙製を含む様々なカップ（コップ）製品の大小サイズに対応し、把手片（４）に設      けられたマグネット（５）によって微調整し、対象カップにピッタリと装着できる      。
（イ）本発明を２枚、３枚と複数連結すれば、丼物等様々な大きさの容器に利用できる。
（ウ）プレート片の異なる長さの組合せによって、一枚単位のホルダーが様々なデザイン      効果を生む事ができる。
（エ）紙や、柔らかいシリコン製のカップ等は、持った手の握力で凹んでしまい、熱い液      が手指に零れ落ちて、ヤケドする危険があるが、その点本発明を装着使用していれ      ば、そんな心配も無用である。
（オ）キャンプ等屋外で使用する時、本発明が不燃物で作ってあるものだったら、オシャ      レな小型コンロに変身することもできる。
【符号の説明】
【０００９】１  プレート片    ２  ワイヤー    ３  把手部    ４  把手片
５  マグネット    ６  紙コップ
【図１】
2016036705.tif 000003
【図２】
2016036705.tif 000004
【図３】
2016036705.tif 000005
【図４】
2016036705.tif 000006